(57)【要約】【課題】外部入力を選択する画面においてユーザが外部機器の選択を円滑に行なえるようにする。【解決手段】映像表示装置は、映像を表示する映像出力部８と、外部機器からの映像パケットの入力時に外部機器の機種情報パケットを入力する複数の外部入力端子２を備える。そして、記憶部５は、外部機器の機種情報パケットから得られる機種情報と、外部入力端子２とを関連付けて外部入力端子２の接続状態を管理する情報として記憶する。制御部６は、記憶部５に記憶されている外部入力端子２の接続状態を映像出力部８に表示させる制御を行う。接続状態管理部３は、外部入力端子２を介して外部機器から入力された機種情報パケットを解析し、解析結果から得られる機種情報を使用して、外部入力端子２の接続状態を管理する情報を更新する。【選択図】図１
2010273179.tif 000002
【特許請求の範囲】
【請求項１】
映像を表示する映像出力部と、
外部機器を接続し、該外部機器からの映像パケットの入力時に該外部機器の機種情報パケットを入力する複数の外部入力端子と、
前記外部機器の機種情報パケットから得られる機種情報と、前記外部入力端子とを関連付けて前記外部入力端子の接続状態を管理する情報として記憶する記憶部と、
前記記憶部に記憶されている前記外部入力端子の接続状態を前記映像出力部に表示させる制御を行う制御部と、を有する映像表示装置であって、
前記外部入力端子を介して外部機器から入力された前記機種情報パケットを解析し、解析結果から得られる機種情報を使用して、前記外部入力端子の接続状態を管理する情報を更新する接続状態管理部を有することを特徴とする映像表示装置。
【請求項２】
前記映像表示装置に接続される外部機器の機種情報及び該外部機器の機種画像を蓄積した外部データベースとの間で、直接ケーブルを介して又はネットワークを介してデータの双方向のやりとりが可能である通信部を有し、
該通信部は、前記機種情報パケットの解析により得られた機種情報を前記外部データベースに送信し、送信した機種情報に対応した機種画像を該外部データベースから受信し、該受信した機種画像と、前記外部データベースに送信した機種情報とを対応付けて前記記憶部に記憶し、かつ前記外部入力端子の接続状態を管理する情報として前記外部データベースから受信した機種画像を登録することを特徴とする請求項１に記載の映像表示装置。
【請求項３】
前記制御部は、前記外部入力端子に新たに外部機器が接続された際に前記外部入力端子から出力される接続検出信号を認識し、前記新たに接続された外部機器の設置場所を登録するための表示画面を前記映像出力部に表示させ、前記新たに接続された外部機器の設置場所情報を、前記記憶部に記憶した外部入力端子の接続状態を管理する情報として、前記外部機器が新たに接続された外部入力端子と関連付けて記録することを特徴とする請求項１又は２に記載の映像表示装置。
【請求項４】
前記接続状態管理部は、外部機器が前記外部入力端子に接続された日時を前記外部入力端子の接続状態を管理する情報として前記記憶部に記憶させ、
前記制御部は、前記外部入力端子の接続状態を前記映像出力部に表示させる際に、前記記憶部に記憶された接続日時と表示処理を行なう日時とを比較し、外部機器が接続されてから経過した時間に基づいて、前記外部入力端子の接続状態の表示を変化させることを特徴とする請求項１からの３いずれかに記載の映像表示装置。
【請求項５】
ユーザによる操作入力を受け付ける操作入力部を有し、
前記制御部は、前記操作入力部に対する操作入力に従って、外部入力端子の選択を可能とする外部入力選択画面を前記映像出力手段に表示させ、該外部入力選択画面は、前記記憶部に記憶されている前記外部入力端子の接続状態を示すものであることを特徴とする請求項１から４のいずれかに記載の映像表示装置。
【請求項６】
前記制御部は、前記操作入力部の操作により前記外部入力選択画面を用いて外部入力端子が選択されると、該選択された外部入力端子に接続された外部機器から供給された信号を前記映像出力部に表示させることを特徴とする請求項５に記載の映像表示装置。
【発明の詳細な説明】
【技術分野】
【０００１】
本発明は、複数の外部入力端子を有し、外部入力端子に接続された電子機器からの映像信号を表示する映像表示装置の技術に関する。
【背景技術】
【０００２】
近年、テレビジョン受信機などの映像表示装置を表示媒体として利用可能な外部機器は増加し続けている。それに伴い、１つの映像表示装置でより多くの外部機器を利用できるようにするため、映像表示装置に具備される外部入力端子の数が増加しており、また、様々な種類の外部機器に対応するために、複数種類の入力端子を具備するようにもなっている。更に、接続する外部機器の中にも別の外部機器を接続するための入力端子が具備されているものがある。すなわち、１つの映像表示装置でコードの抜き挿しなく多くの外部機器を利用することが可能で、大変使い勝手が良いように思われる。
【０００３】
一方、ユーザが複数ある外部入力の中から映像表示装置での表示を所望する外部機器の入力を選択しなければ、外部機器が映像表示装置に接続されていても外部機器内の映像を表示させることはできない。このような選択操作には、一般的に映像表示装置に外部入力を選択する画面を表示させ、ユーザがその画面から所望の外部機器又は該外部機器が接続されている外部入力端子を示した表示を選択する形式が用いられている。このような形式の場合、接続されている外部機器の数が増えると画面に表示される選択肢も同様に増えるため、外部入力の選択を行なう際の操作の迅速性は低下してしまうという問題がある。
【０００４】
上記のような問題を解決するための方法として、特許文献１では、映像表示装置に接続された外部機器が供給する映像信号の種類の違いに注目し、選択画面において映像信号の種類に関する情報を表示させることで、各入力端子を特徴付けて識別を容易にして操作の迅速性を上げている。
【０００５】
また、特許文献２では、表示装置に接続された外部機器から機種情報を取得し、選択画面において機種情報を表示することで、どのような外部機器が接続されているかを明確化して識別を容易にして操作の迅速性を上げている。
【先行技術文献】
【特許文献】
【０００６】
【特許文献１】特開２００８−６７２８４号公報
【特許文献２】特開２００８−３５１８９号公報
【発明の概要】
【発明が解決しようとする課題】
【０００７】
上記した特許文献１に記載された映像表示装置では、外部入力を選択する画面から所望する外部機器からの入力映像を選択し、表示するためには映像信号の種類による識別が必要とされる。従って、映像表示装置に映像信号の種類が同じ入力端子が複数備えられていた場合、入力端子に接続された同種の外部機器を選択画面において迅速に識別することは難しく、また、所望する外部機器からの映像信号がどのような信号であるかを事前に理解していなければならない問題もある。
【０００８】
上記した特許文献２に記載された表示装置では、接続された外部機器を迅速に識別するためにはどの外部機器が何という名称であるか把握しておく必要がある。従って、接続する外部機器が増加することで、把握しておかなければならない外部機器と機器名称の対応も増加し、ユーザに余計な負担がかかると同時に、選択操作における迅速性の低下につながる場合もある。また、全く同じ外部機器が複数接続された場合、番号付与による区別はされるがどちらの表示がどちらの外部機器に対応しているのかを識別するのは難しい。
【０００９】
本発明は、上記課題に基づいてなされたもので、外部入力を選択する画面においてユーザが外部機器の選択を円滑に行なえる映像表示装置を提供することを目的とする。
【課題を解決するための手段】
【００１０】
上記課題を解決するために、本発明の第１の技術手段は、映像を表示する映像出力部と、外部機器を接続し、該外部機器からの映像パケットの入力時に該外部機器の機種情報パケットを入力する複数の外部入力端子と、前記外部機器の機種情報パケットから得られる機種情報と、前記外部入力端子とを関連付けて前記外部入力端子の接続状態を管理する情報として記憶する記憶部と、前記記憶部に記憶されている前記外部入力端子の接続状態を前記映像出力部に表示させる制御を行う制御部と、を有する映像表示装置であって、前記外部入力端子を介して外部機器から入力された前記機種情報パケットを解析し、解析結果から得られる機種情報を使用して、前記外部入力端子の接続状態を管理する情報を更新する接続状態管理部を有することを特徴としたものである。
【００１１】
第２の技術手段は、第１の技術手段の映像表示装置に係り、前記映像表示装置に接続される外部機器の機種情報及び該外部機器の機種画像を蓄積した外部データベースとの間で、直接ケーブルを介して又はネットワークを介してデータの双方向のやりとりが可能である通信部を有し、該通信部は、前記機種情報パケットの解析により得られた機種情報を前記外部データベースに送信し、送信した機種情報に対応した機種画像を該外部データベースから受信し、該受信した機種画像と、前記外部データベースに送信した機種情報とを対応付けて前記記憶部に記憶し、かつ前記外部入力端子の接続状態を管理する情報として前記外部データベースから受信した機種画像を登録することを特徴としたものである。
【００１２】
第３の技術手段は、第１又は第２の技術手段の映像表示装置に係り、前記制御部は、前記外部入力端子に新たに外部機器が接続された際に前記外部入力端子から出力される接続検出信号を認識し、前記新たに接続された外部機器の設置場所を登録するための表示画面を前記映像出力部に表示させ、前記新たに接続された外部機器の設置場所情報を、前記記憶部に記憶した外部入力端子の接続状態を管理する情報として、前記外部機器が新たに接続された外部入力端子と関連付けて記録することを特徴としたものである。
【００１３】
第４の技術手段は、第１から第３のいずれかの技術手段の映像表示装置に係り、前記接続状態管理部は、外部機器が前記外部入力端子に接続された日時を前記外部入力端子の接続状態を管理する情報として前記記憶部に記憶させ、前記制御部は、前記外部入力端子の接続状態を前記映像出力部に表示させる際に、前記記憶部に記憶された接続日時と表示処理を行なう日時とを比較し、外部機器が接続されてから経過した時間に基づいて、前記外部入力端子の接続状態の表示を変化させることを特徴としたものである。
【００１４】
第５の技術手段は、第１から第４のいずれかの技術手段の映像表示装置に係り、ユーザによる操作入力を受け付ける操作入力部を有し、前記制御部は、前記操作入力部に対する操作入力に従って、外部入力端子の選択を可能とする外部入力選択画面を前記映像出力手段に表示させ、該外部入力選択画面は、前記記憶部に記憶されている前記外部入力端子の接続状態を示すものであることを特徴としたものである。
【００１５】
第６の技術手段は、第５の技術手段の映像表示装置に係り、前記制御部は、前記操作入力部の操作により前記外部入力選択画面を用いて外部入力端子が選択されると、該選択された外部入力端子に接続された外部機器から供給された信号を前記映像出力部に表示させることを特徴としたものである。
【発明の効果】
【００１６】
本発明によれば、ユーザは、外部入力を選択する画面から直接外部機器の外観、外部機器の接続先となる外部入力端子の位置及び外部機器の設置場所を認識することができる。この結果、ユーザは、所望の外部機器をより迅速に選択することができ、更に外部機器の接続及び取り外しを行なう場合に、映像表示装置にて事前に接続先及び設置場所を確認することが可能となる。
【図面の簡単な説明】
【００１７】
【図１】本発明の実施形態に係る映像表示装置の構成を示すブロック図である。
【図２】記憶部が保持する接続状態管理テーブルの一例を示す表である。
【図３】記憶部が保持する保持機種画像テーブルの一例を示す表である。
【図４】映像表示装置を構成する接続状態管理部が実行する接続状態更新処理を示すフローチャートである。
【図５】映像表示装置を構成する通信部が実行する機種画像取得処理を示すフローチャートである。
【図６】映像表示装置を構成する制御部が実行する設置場所登録処理を示すフローチャートである。
【図７】外部入力選択画面の表示の一例を示す図である。
【図８】図７に示す外部入力選択画面の一部の表示の一例を示す図である。
【図９】接続経過時間に基づき図７に示す外部入力選択画面に変化を持たせた表示の一例を示す図である。
【発明を実施するための形態】
【００１８】
本発明に係る映像表示装置は、映像信号を入力する外部入力端子を１又は複数もつ装置であり、以下、テレビ装置に適用した例のみを示すが、ＰＣ用の表示モニタなど他種の表示装置であっても適用できる。また、本発明に係る映像表示装置に具備される外部入力端子は、外部機器から映像パケット（又は映像パケット及び音声パケット）が入力できる端子であり、映像パケットの入力時にその外部機器の機種情報パケットも入力できる端子である。
【００１９】
さらに、以下の説明で用いる機種情報パケットは、機種情報としてメーカ名、機種名、及び機種カテゴリの情報があることを前提としている。本発明の実施形態では、機種情報としてこれら情報を少なくとも含むことが好ましいが、それに限ったものではない。
【００２０】
≪実施形態１≫  
図１は、本発明の実施形態に係る映像表示装置１の構成を示すブロック図である。本実施の形態に係る映像表示装置１は、外部入力端子２と、接続状態管理部３と、通信部４と、記憶部５と、制御部６と、表示処理部７と、映像出力部８とを有している。
外部入力端子２は、接続された外部機器１１、１２、及び１３から供給された映像パケットを表示処理部７に出力し、外部機器を検出したことを通知する接続検出信号を接続状態管理部３に出力する。このとき、外部機器１１、１２、及び１３から機種情報パケットが供給された場合、外部入力端子２は供給された機種情報パケットを接続状態管理部３に出力する。
【００２１】
外部入力端子２の各端子には、外部機器１１が接続された端子を「入力１」、外部機器１２が接続された端子を「入力２」、外部機器１３が接続された端子を「入力３」といったように、個別の入力端子名称がつけられている。本実施形態では、入力端子名称は「入力」に数字を付与した形式で表現するが、それに限ったものではない。
【００２２】
接続状態管理部３は、外部入力端子２から接続検出信号、又は、接続検出信号及び機種情報パケットを供給され、記憶部５に保持された接続状態管理テーブルと接続された外部機器の機種情報（機種情報パケットが供給されない場合はデフォルト機種情報）を照合し、照合結果に応じて接続状態管理テーブルの更新処理を行なう。接続状態管理テーブルは、図２に示すように、外部入力端子２の端子毎に入力端子名称、接続機種情報、接続機種画像、接続日時、及び設置場所の情報を関連付けて記憶している。また、本実施形態では、接続状態管理テーブルで記憶する項目として前記の５つの情報を前提として説明するが、それに限ったものではない。
【００２３】
通信部４は、接続状態管理部３から供給された機種情報のデータを、直接ケーブルを介して接続された又はネットワークを介して接続された外部データベース１０に送信し、外部データベース１０から送信した機種情報のデータに対応した機種画像のデータを受信する。受信した機種画像のデータは記憶部５に記憶する。このとき、記憶部５に保持されている保持機種画像テーブルに、接続状態管理部３から供給された機種情報と記憶部５に記憶した機種画像名とを対応付けて記憶する。保持機種画像テーブルは、図３に示すように、記憶部５に記憶されている機種画像名と、それら機種画像が表す外部機器の機種情報を対応付けて記憶している。
【００２４】
制御部６は、リモコン９から供給された制御信号を受信し、受信した制御信号に対応する表示制御の信号を表示処理部７へ出力する。リモコン９には、一般的なテレビジョン受信機に用いられるリモコンと同様、電源ボタン、入力切換ボタン、チャンネルボタン、音量増加ボタン、音量減少ボタンなどの各種のボタンが設けられている。入力切換ボタンは、押下されると、映像出力部８を構成するディスプレイに外部入力を選択する画面（以降、「外部入力選択画面」と称する）の表示が指示されるボタンである。外部入力選択画面の具体的な表示構成については、後述する。
【００２５】
また、リモコン９には、上記した各種ボタンの他、上カーソルボタン、下カーソルボタン、左カーソルボタン、右カーソルボタン及び決定（「ＥＮＴＥＲ」）ボタンが設けられている。以降、上カーソルボタン、下カーソルボタン、左カーソルボタン及び右カーソルボタンを総称して、カーソルボタンと記述する。
カーソルボタンは、映像表示装置１のディスプレイに外部入力選択画面等が表示されている状態で押下されることにより、上下左右のいずれかの方向に１つずつカーソルを移動させることでフォーカスを移動させて項目の選択が指示されるボタンである。
【００２６】
ここで、フォーカスについて説明する。ディスプレイの表示画面に複数のボタンやテキストボックス等が表示されている場合、これらのうち、リモコン９又は図示せぬ本体操作部からの入力を受け付けることができるのは１つだけであるが、その入力を受け付ける状態になっていることをフォーカスをもつと呼ぶ。あるボタンがフォーカスを持っているか否かは、テキストボックスの場合には内部でカーソルが点滅する、ドロップダウンリストボックスの場合にはメニューが選択反転する、コマンドボタンの場合には破線で囲まれる、などによりユーザが判断することができる。
【００２７】
決定（「ＥＮＴＥＲ」）ボタンは、ディスプレイに表示されている外部入力選択画面を構成する外部入力端子を示すボックスがフォーカスを持っている状態で押下されることにより、当該ボックスに対応する外部入力端子の選択が指示されるボタンである。
【００２８】
表示処理部７は、制御部６から供給された表示制御の信号に基づいて、設置場所登録画面や外部入力選択画面等の各種画面やラベル等を表示するための出力表示信号を発生し、映像出力部８へ出力する接続状態表示制御処理を行なう。また、制御部６から供給された映像切り換えの信号に基づいて、外部入力端子２から供給されたいずれかの外部入力の映像信号を映像出力部８へ出力する映像切換制御処理を行なう。
映像出力部８は、ＣＲＴディスプレイ、液晶ディスプレイ、あるいはプラズマディスプレイ等のディスプレイを有し、表示処理部７から供給された映像信号に基づいて画像をディスプレイに表示する。
【００２９】
記憶部５は、ＲＡＭやＲＯＭ、あるいはフラッシュメモリ等の半導体メモリからなる。記憶部５は、プログラム記憶部と、ワーキング記憶部と、データ記憶部とから構成されている。プログラム記憶部は、上記した接続状態管理部３が実行すべき接続状態更新プログラムやその他の各種プログラムが予め記憶されている。ワーキング記憶部は、上記したプログラム記憶部に記憶されたプログラムを実行する際に作業用として用いられる。データ記憶部は、上記した機種画像データや接続状態管理テーブルや保持機種画像テーブル等の各種データが記憶されている。
【００３０】
次に、上記構成の映像処理装置を構成する接続状態管理部３、通信部４、及び制御部６がそれぞれ行なう処理について説明する。まず第１に、接続状態管理部３の接続状態更新処理について、図４に示すフローチャートを参照して説明する。
上記構成の映像表示装置１に電源が投入されている状態において、外部入力端子２のいずれかの入力端子から接続検出信号が供給されると、接続状態管理部３は、図４に示すステップＳ１の処理へ進み、接続検出信号を供給した入力端子（以降、この入力端子を入力Ｘと称する）から機種情報が検出されたか、つまり、入力Ｘが接続された外部機器から機種情報パケットが供給されたか否かを判断する。
【００３１】
ステップＳ１の判断結果が「ＹＥＳ」の場合、即ち、入力Ｘが接続された外部機器から機種情報パケットが供給された場合には、接続状態管理部３は、ステップＳ２へ進む。ステップＳ２では、接続状態管理部３は、ステップＳ１の処理で検出した機種情報パケットに対しパケット解析の処理を行ない、機種情報パケットから機種情報を抽出し、ステップＳ４へ進む。
【００３２】
一方、ステップＳ１の判断結果が「ＮＯ」の場合には、接続状態管理部３は、ステップＳ３へ進む。ステップＳ３では、接続状態管理部３は、機種情報パケットが供給されなかった場合に機種情報とするように事前に設定されたデフォルト情報を機種情報として抽出し、ステップＳ４へ進む。
【００３３】
ステップＳ４では、接続状態管理部３は、ステップＳ２又はステップＳ３の処理で抽出した機種情報と記憶部５が保持する接続状態管理テーブルに記憶された入力Ｘの接続機種情報が合致するか否かを判断する。ステップＳ４の判断結果が「ＮＯ」の場合、即ち、新たな外部機器が入力Ｘに接続された場合には、接続状態管理部３は、ステップＳ５へ進む。一方、ステップＳ４の判断結果が「ＹＥＳ」の場合、即ち、接続状態に変更がなく接続状態管理テーブルを更新する必要がない場合には、接続状態管理部３は、一連の処理を終了する。
【００３４】
ステップＳ５では、接続状態管理部３は、まず記憶部５が保持する接続状態管理テーブルに記憶された入力Ｘの接続状態に関する情報を全て消去し、その後入力Ｘの接続機種情報としてステップＳ２又はステップＳ３の処理で抽出した機種情報と、接続日時として処理を行なっている日時を記憶する。次に、接続された外部機器が設置された場所の登録する処理を実行するための信号を制御部６に出力し、ステップＳ６へ進む。
【００３５】
ステップＳ６では、接続状態管理部３は、記憶部５が保持する保持機種画像テーブルを検索し、ステップＳ５の処理で接続状態管理テーブルに記憶された機種情報に合致する機種情報が存在するか否かを判断する。ステップＳ６の判断結果が「ＹＥＳ」の場合、即ち、入力Ｘに接続された外部機器を表した機種画像が記憶部５に記憶されている場合には、接続状態管理部３は、ステップＳ７へ進む。一方、ステップＳ６の判断結果が「ＮＯ」の場合、即ち、入力Ｘに接続された外部機器を表した機種画像が記憶部５に記憶されていない場合には、接続状態管理部３は、ステップＳ８へ進む。
【００３６】
ステップＳ７では、接続状態管理部３は、記憶部５が保持する保持機種画像テーブルからステップＳ５の処理で接続状態管理テーブルに記憶された機種情報に対応付けられた機種画像名を取得し、ステップＳ９へ進む。
ステップＳ８では、接続状態管理部３は、ステップＳ５の処理で接続状態管理テーブルに記憶された機種情報と該記憶情報が対応付けられた入力端子名称を通信部４に出力し、記憶部５が保持する保持機種画像テーブルから、接続状態管理テーブルに記憶された機種情報の機種カテゴリに対応付けられたデフォルト画像名を機種画像名として取得し、ステップＳ９へ進む。
【００３７】
ステップＳ９では、接続状態管理部３は、ステップＳ７又はステップＳ８で取得した機種画像名を記憶部５が保持する接続状態管理テーブルに入力Ｘの接続機種画像として記憶し、一連の処理を終了する。以上が接続状態管理テーブルの更新処理についての説明である。
【００３８】
第２に、通信部４の機種画像取得処理について、図５に示すフローチャートを参照して説明する。前提として、映像表示装置１に接続された外部機器から機種情報パケットが出力され、機種情報パケットから抽出した機種情報が、記憶部５が保持する保持機種画像テーブルに記憶されていない、即ち、接続状態更新処理において図４に示すステップＳ８に進むものとする。
【００３９】
上記構成の映像表示装置１に電源が投入され、外部機器が接続された状態において、接続状態管理部３から通信部４へ機種情報と入力端子名称が出力されると、通信部４は、図５に示すステップＳ１１の処理に進み、事前に指定された外部データベース１０に接続することができるか否かを判断する。ステップＳ１１の判断結果が「ＮＯ」の場合には、通信部４は、一連の処理を終了する。一方、ステップＳ１１の判断結果が「ＹＥＳ」の場合、即ち、映像表示装置１が外部データベース１０と直接ケーブルを介して、又はネットワークを介して接続されている場合には、通信部４は、ステップＳ１２へ進む。
【００４０】
外部データベース１０は、映像表示装置１に接続可能な外部機器の機種画像を、外部機器から取得できる機種情報に対応付けて蓄積している。また、映像表示装置１から機種情報を受信することで、受信した機種情報をクエリとしてデータベース内を検索し、受信した機種情報に対応する機種画像が存在する場合には、機種情報を送信した映像表示装置１にその機種画像のデータを送信する。一方、受信した機種情報に対応する機種画像が存在しない場合には、機種画像の取得失敗を表すデータを機種情報を送信した映像表示装置１に送信する。
【００４１】
ステップＳ１２では、通信部４は、接続状態管理部３から供給された機種情報のデータを外部データベースに送信し、ステップＳ１３へ進む。ステップＳ１３では、通信部４は、機種情報を送信した外部データベース１０から機種画像のデータを受信したか否かを判断する。ステップＳ１３の判断結果が「ＮＯ」の場合、即ち、外部データベース１０から機種画像の取得失敗を表すデータを受信した場合には、通信部４は、一連の処理を終了する。一方、ステップＳ１３の判断結果が「ＹＥＳ」の場合には、通信部４は、ステップＳ１４へ進む。
【００４２】
ステップＳ１４では、通信部４は、ステップＳ１３で外部データベース１０から受信した機種画像のデータを記憶部５に記憶し、記憶部５が保持する保持機種画像テーブルに、ステップＳ１２で外部データベース１０に送信した機種情報と記憶部５に記憶した機種画像名を対応付けて記憶する。また、記憶部５が保持する接続状態管理テーブルに、接続状態管理部３から供給された入力端子名称の接続機種画像として、外部データベース１０から受信した機種画像名を記憶し、一連の処理を終了する。以上が機種画像取得処理についての説明である。
【００４３】
第３に、制御部６の設置場所登録処理について、図６に示すフローチャートを参照して説明する。前提として、映像表示装置１のある入力端子に接続された外部機器の機種情報が、記憶部５が保持する接続状態管理テーブルに記憶されている入力Ｘの接続機種情報と合致しない、即ち、接続状態更新処理において図４に示すステップＳ５に進むものとする。つまり、映像表示装置１のある入力端子に新たに外部機器が接続され、その入力端子に対して接続状態更新処理が行われたとする。
【００４４】
上記構成の映像表示装置１に電源が投入され、新たに外部機器が接続された状態において、接続状態管理部３から制御部６へ設置場所登録の信号が出力されると、制御部６は、図６に示すステップＳ２１の処理に進み、接続状態管理部３から出力された設置場所登録の信号に基づき、表示処理部７に設置場所登録画面表示の信号を出力し、ステップＳ２２へ進む。
【００４５】
ステップＳ２２では、制御部６は、ユーザの手による操作を介してリモコン９から設置場所登録完了の信号を受信したか否かを判断する。ステップＳ２２の判断結果が「ＮＯ」の場合、即ち、設置場所登録未完了の信号を受信した場合には、制御部６は、ステップＳＰ２４へ進む。一方、ステップＳ２２の判断結果が「ＹＥＳ」の場合には、制御部６は、ステップＳ２３へ進む。
【００４６】
ここで、上記したユーザの手による操作とは、ステップＳ２１の処理を介して表示された設置場所登録画面において、リモコン９を用いて設置場所情報又は後で登録する旨を入力することである。設置場所情報を入力した場合には設置場所登録完了の信号が、後で登録する旨を入力した場合には設置場所登録未完了の信号が、リモコン９から制御部６へ出力される。
【００４７】
ステップＳ２３では、制御部６は、ユーザによりリモコン９を用いて設置場所登録画面に入力された設置場所情報を、設置場所登録の信号に基づいた入力端子の設置場所として、記憶部５に保持された接続状態管理テーブルに記憶し、ステップＳ２４へ進む。
ステップＳ２４では、制御部６は、表示処理部７に設置場所登録画面の表示を終了させるための信号を出力し、一連の動作を終了する。以上が設置場所登録処理についての説明である。
【００４８】
図７は、外部入力選択画面の表示の一例を示す図である。外部入力選択画面２０は、リモコン９が有する入力切換ボタンが押下されることで、表示されていた映像を収縮して表示し直すことで、表示画面上の空いたスペースに表示される。外部入力選択画面２０は、外部入力端子２の各入力端子が映像表示装置１のどこに設置されているかを示した入力端子位置の画像又は図形２１と、映像表示装置１が有する入力端子の数だけ上下に並んだ各外部入力を示すアイコン群２２と、アイコン群２２上において上下に移動することで選択されているアイコンがどれであるかを表す外部入力選択フォーカス２３からなる。
【００４９】
図８は、外部入力選択画面に表示されるアイコンの一例を示す図である。アイコンは入力端子毎に生成され、接続されている外部機器を表す画像２４と、接続状態管理テーブルに記憶された、接続された外部機器の各種情報を表示するボックス２５と、上記した入力端子位置を示す画像又は図形２１と対応させた入力端子を表す画像又は図形２６からなる。
【００５０】
以上、説明した図７に示す外部入力選択画面が映像出力部８のディスプレイに表示された映像表示装置１において、ユーザがリモコン９の上カーソルボタン又は下カーソルボタンを押下することで、フォーカス２３は１つ上又は１つ下のアイコンに移動する。ここで、映像を表示させたい外部入力を表示したアイコンの上にフォーカス２３を移動させてリモコン９の決定ボタンを押下することで、制御部６から表示処理部７へ外部入力から供給された映像信号を選択するための信号を出力する。そして、その信号が供給された表示処理部７は、映像信号を選択して映像出力部８に出力し、映像出力部８のディスプレイには選択した外部の映像が表示される。このとき、外部入力選択画面２０は表示されず、表示処理部から出力された外部の映像はディスプレイ全体に表示される。
【００５１】
このように、本発明の実施形態１によれば、外部入力選択画面２０上に、入力端子毎に接続された外部機器の機種情報だけでなく、外部機器を表す画像やその設置場所及び接続されている映像表示装置上での位置を認識できるように表示している。このため、ユーザは、映像信号の種類や外部機器の名称などを記憶していなくても、外部入力選択画面から直接外部機器の外観や、映像表示装置と外部機器の位置関係等を認識することができるので、外部入力選択画面から直接映像を表示させたい外部機器を選択することができる。この結果、ユーザは、所望の外部機器を簡単な操作で、かつ、少ない知識で迅速に選択することができ、使い勝手が良い。
【００５２】
≪実施形態２≫
本発明に係る実施形態２は、上述の実施形態１において、表示処理部７は、制御部６から外部入力選択画面を表示する旨の信号を供給されたときの日時と各入力端子接の続状態管理テーブルの接続日時を比較し、接続されてからの経過時間を算出し、経過時間により図８で示すアイコンに変化を持たせる。
【００５３】
図９は、接続経過時間により表示に変化を持たせた外部入力選択画面の表示の一例を示す図である。接続経過時間が短い外部入力のアイコン２２ａには新しい接続であることを示す図形２０を、接続経過時間が長い外部入力のアイコン２２ｂには外部機器の買い換えを進める図形２１を表示する。この場合、図形２０や図形２１のような表示に用いる図形を、接続経過時間と対応付けて記憶部５に予め記憶しておく。
【００５４】
このように構築すれば、外部機器を接続後すぐにその映像を映像表示装置１で表示したい場合に、外部入力選択画面２０を表示すれば一目でどれを選択すればよいか判断することができるので、ユーザの選択動作の迅速化が図れる。また、接続された外部機器の老朽度を外部入力を選択する度にチェックすることができるので、ユーザは容易に外部機器を新調する時期を見極めることができる。
【００５５】
以上のように、本発明の実施形態について説明を行なったが、今回開示した実施形態は全ての点で例示であって制限的なものではないと考えられるべきである。本発明の範囲は特許請求の範囲によって示され、特許請求の範囲と均等の意味および範囲内での全ての変更が含まれる。
【符号の説明】
【００５６】
１…映像表示装置、２…外部入力端子、３…接続状態管理部、４…通信部、５…記憶部、６…制御部、７…表示処理部、８…映像出力部、９…リモコン、１０…外部データベース、１１…外部機器、１２…外部機器、１３…外部機器、２０…外部入力選択画面、２１…図形、２２…アイコン群、２２ａ…アイコン、２２ｂ…アイコン、２３…フォーカス、２４…画像、２５…ボックス、２６…図形、２７…図形、２８…図形。
【図１】
2010273179.tif 000003
【図２】
2010273179.tif 000004
【図３】
2010273179.tif 000005
【図４】
2010273179.tif 000006
【図５】
2010273179.tif 000007
【図６】
2010273179.tif 000008
【図７】
2010273179.tif 000009
【図８】
2010273179.tif 000010
【図９】
2010273179.tif 000011